Podtech/llm-jp-corpus-v4-ja_patent huggingface dataset:
(57)【要約】【課題】本考案は、特に冷寒地に於ける床暖房装置にあって温水パイプの亀裂や破断を未然に防止しようとするものである。【解決手段】床や壁などに蛇行させて敷設させた温水パイプと、この周囲に充填させた石膏などの固定及び保温部材とよりなる暖房構造にあって、上記温水パイプの加熱による伸縮部位に樹脂合成ゴムなどの伸縮緩衝部材を設けたことを特徴としている。【選択図】　図１
0003098485.tif 000002
【実用新案登録請求の範囲】
【請求項１】
床や壁などに蛇行させて敷設させた温水パイプと、この温水パイプの周囲に充填させた石膏などの固定及び保温部材とよりなる暖房構造にあって、上記温水パイプの加熱による伸縮部位に樹脂、合成ゴムなどの伸縮緩衝部材を設けたことが特徴の温水暖房装置。
【請求項２】
請求項１における緩衝部材は、断面略「Ｃ」型で、温水パイプに被冠させるようにしたことが特徴の温水暖房装置。
【考案の詳細な説明】
【０００１】
【考案の属する技術分野】
この考案は、特に冷寒地に於ける床暖房装置にあって、特に温水パイプの改良に関する。
【０００２】
【従来の技術】
温水を用いた床暖房装置の多くは床に温水パイプを配置し、一方入口から他方の出口に温水を流して床を暖房するのが一般的で、この場合（特許文献１あるいは２）に示すようにかかる温水パイプは床の広さに応じて蛇行させるのが通常の手段である。
【０００３】
またこのような手段の床暖房は、その温水の入口側が熱く、これに対して比較的出口側が冷くなり、均一な床暖房が行えない為、温水を通す温水パイプを往路側温水パイプと復路側温水パイプとで構成し、往路側温水パイプと復路側温水パイプを略平行に隣接させて蛇行状に配置する。
【０００４】
また往路側温水パイプの一端の温水入口と復路側温水パイプの一端の温水出口とを隣接させると共に、往路側温水パイプ及び復路側温水パイプの他端同士を連通させる手段が取られている。
【０００５】
【特許文献１】
特開平７−４２９５８０号　　　（要約書）
【特許文献２】
特開２００１−１５３３７９号　（要約書）
【０００６】
しかし乍ら、かかる温水パイプを用いた床暖房は、その稼働時と非稼働時の温度差や外気温との関係温度差で伸縮し、たび重なる使用にあっては当該パイプに亀裂が生じたり、頗しいときは破断したりする虞れがあった。
【０００７】
【考案が解決しようとする課題】
この考案は上記の点に鑑みてなされたもので、上記温水パイプの亀裂や破断を未然に防止しようとするものである。
【０００８】
【課題を解決するための手段】
而してこの考案の特徴は、床や壁などに蛇行させて敷設させたパイプと、この温水パイプの周囲に充填させた石膏などの固定及び保温部材とよりなる暖房構造にあって、上記温水パイプの加熱による伸縮部位に樹脂、合成ゴムなどの伸縮緩衝部材を設けたことである。
【０００９】
また上記の緩衝部材は、その外側から内側にとどくスリットまたは断面略「Ｃ」型で、温水パイプに被冠させるようにしたこともその特徴となっている。
【００１０】
【実施例】
図１で（１）は家屋の床面で、（２）は該床面の略全面に亘って蛇行させる敷設した温水パイプであり、この温水パイプ（２）は図示しない温水供給装置と接続させた温水の入口（３）及び出口（４）がある。
【００１１】
なお図１は施行の途中を示し、（５）は作業者、（６）はノズル、（７）はそのホース、（８）はコンプレッサ、（９）は石膏などの固定及び保温部材のタンクである。
【００１２】
而して図４及び５で（１０）は樹脂、合成ゴムのような材料で造られた伸縮緩衝部材である。
【００１３】
当該のこと乍らこの緩衝部材（１０）の内径は上記温水パイプ（２）の外径と略等しく温水パイプ（２）に密に被嵌できるものであるが、この場合かかる緩衝部材（１０）は温水パイプ（２）が蛇行している湾曲部に被嵌させることが好ましい。
【００１４】
これは略直線状態にある温水パイプ（２）が通過する温水と外気との温度差で伸縮させる力が、温水パイプ（２）の上記蛇行（湾曲）に集力すること、及び温水パイプ（２）内を通過する温水の熱が特にその蛇行（湾曲）部で衝突混合で増長され、その衝撃が他の部位に比較して強い為と推定されるからである。
【００１５】
なお、この衝突部材（１０）は図４の一点鎖線のようにその外側から内側に通るスリット（１１）を形成させるか、または図５における実線のように半月状に近い空隙部（１２）がある形状とすれば、温水パイプ（２）を床面に敷設したのちでも容易に本案の緩衝部材（１０）を温水パイプ（２）に被嵌させ得るのである。
【００１６】
作業者（５）が然るのちは通常のタンク（８）内の石膏などの固定、保温部材をホース（７）でノズル（６）に供給し、作業者（５）が上に保温部材を温水パイプ（２）の周囲に塗布して施行は完了するのである。
【００１７】
【考案の効果】
以上説明したように本案は蛇行させて温水パイプを床に敷設する暖房システムであって、該温水パイプの特に蛇行（湾曲）する部分に樹脂、合成ゴムのような緩衝部材を設けたから温水パイプの伸縮に対処でき、温水パイプの亀裂や損傷を未然に防止できたのである。
【００１８】
また上記緩衝部材はその長手方向の外側から内側にスリットを設けたこと、または断面略「Ｃ」型としたことにより温水パイプを施行した後でも、これを容易に温水パイプに被嵌させることができるのである。
【図面の簡単な説明】
【図１】温水床暖房システム施行全体の斜視説明図
【図２】施行した状態の床の平面図
【図３】図２のａ〜ａ断面図
【図４】緩衝部材の一部切欠正面図
【図５】同縦断面図
【符号の説明】
１　　家屋の床面
２　　温水パイプ
３　　温水の入口
４　　温水の出口
５　　作業者
６　　ノズル
７　　ホーム
８　　コンプレッサ
９　　タンク
１０　緩衝部材
１１　スリット
１２　空隙部
【図１】
0003098485.tif 000003
【図２】
0003098485.tif 000004
【図３】
0003098485.tif 000005
【図４】
0003098485.tif 000006
【図５】
0003098485.tif 000007
(57)【要約】【課題】光によって、侵入者を威嚇するだけでなく、音と光によって同時に同個所から威嚇し、昼夜を問わず防犯効果を上げることを目的としたセンサーライトを提供する。【解決手段】ブザーを内蔵したセンサーライトを考案し、光のみならず音によっても威嚇できるようにする。ブザーを内蔵するのに、交流ブザーでは大き過ぎ外観上問題があるので、小型化できる直流ブザーを使用する。このため、トランス５、整流子６、直流用ブザー７より成る直流ブザー系回路を考案し、これをセンサーライトに内蔵するようにする。【選択図】　図１
0003098490.tif 000002
【実用新案登録請求の範囲】
【請求項１】
人体検知センサー部１０とライト部８とを備え、人体検知センサー部で人体を検知すると、ライト部より、光を目標に対して照射するセンサーライトにおいて、交流電源１よりライト４に向う電流を分岐して、トランス５により必要とする電圧におとし、更にこれを整流子６によって直流に変換させ、これを直流用ブザー７に接続して、直流ブザー系を構成し、この直流ブザー系５，６，７を内蔵したことを特徴とするセンサーライト。
【考案の詳細な説明】
【０００１】
【考案の属する技術分野】
この考案は、センサーライトの防犯効果を高める装置に関するものである。
【０００２】
【従来の技術】
従来の防犯用センサーライトは光りによって侵入者を威嚇するものである。また、有線や無線で屋内のチャイム等につなげ、音によっても防犯効果を更に高めようとするものも現れている。しかし、センサーライトにブザーを内蔵し、光と音を同時に同個所から発するセンサーライトはまだ開発されていない。
【０００３】
【考案が解決しようとする課題】
従来のセンサーライトには、以下の欠点がある。
光のみによる威嚇のため、明るい昼間は侵入者に対しては威嚇効果がない。この欠点を補うため、有線や無線で屋内のチャイム等につなげ、音で威嚇効果を上げようとしているものもあるが、このような光と音の分離方式では工事費や装置が高いものとなる。
また、音による威嚇は、屋外で鳴らして効果が発揮できるものであり、屋内では侵入者には聞こえず効果が少ない。
【０００４】
【課題を解決するための手段】
光だけでなく、音によっても警告できるセンサーライトにする。このため、センサーライトにブザーを内蔵し、ライトと同時にブザー音で侵入者を威嚇できるようにする。
【０００５】
【考案の実施の形態】
センサーライトとブザーを一体化し、センサーライト内部にブザーを設ける場合に、大きい形状のものは外観上見栄えが良くないので、出来るだけコンパクトにする。しかし、交流をそのままブザーに使用する方法では、交流ブザーの形状が大きいため、これを内蔵するにはセンサーライトの容器を大きくするか、或いは新たに容器等を設ける必要がある。
一方、直流ブザーは形状が非常に小さく、またそれに付随するトランスや整流子も小さいので、僅かなスペースでセンサーライトに内蔵することが出来る。
直流を得るためには、電池による方法と交流を整流して得る方法があるが、電池による方法では、電池交換等繁雑な電流管理が必要となるので、交流を整流して直流を得る方法とする。
【０００６】
【実施例】
従来のセンサーライトは、人体検知センサーとライト部から成り、図１の回路ブロック図に示す如く、人体を感知した検知センサー２が作動し、スイッチ３がＯＮして交流電源１より、電流がライト４に流れて光を発する方式である。又市販されているものにセンサーブザーと云うものもあり、これも上記と同じく、人体を感知した検知センサーが作動し、電源から電流が流れて、ブザーが鳴る方式である。
従来のセンサーライトもセンサーブザーも、それぞれ光の照射、又は音が単独で働くので、防犯に対しては効果が低いと云える。
【０００７】
光と音が同時に、且つ同じ場所から発すれば相乗効果により防犯効果は著しく高くなると考えられる。
本考案は、かくの如く、光と音を同時に同じ場所から発し、防犯効果をより高めようとするものである。それには、その機能が光の照射のみの従来のセンサーライトに対し、ブザーをこれに内蔵して光と同時に音を発する構造にすれば良い。但し、センサーライトの大きさは外観上、余り大きく出来ないので、構造が大きくなる交流ブザーではなく、小型化出来る直流ブザーを内蔵するようにする。直流ブザーを設けるのに、図１をもって説明する。
従来のセンサーライトは前記した如く、交流電源１、人体検知センサー２、スイッチ３、ライト４から構成される。この回路に、直流ブザーを別途設けるために、交流電源１からスイッチ３を経て、ライト４に入力される電流をライト４と並列になるようにトランス５に分岐し、必要とする電圧におとす。更にこれを整流子６によって直流に変換し、直流用ブザー７に接続して、これを得る。
このようにして得られた直流ブザー系の５，６，７を、図２のセンサーライトの何れか適当なスペースに内蔵するようにする。かくの如くして得られた直流ブザーを内蔵したセンサーライトは、音と光によって、昼夜を分かたず防犯効果を発揮するものである。
次に、その使われ方を説明する。
一般家庭あるいは商店等は、主として建物の外壁や庭、塀等に取り付ける。建物が小さければ、その全周を囲むようにセンサーライトでガードする事も可能である。又、車の盗難防止のため、車庫や駐車場にも設置する。昼間は、光照射のみの威嚇では、防犯効果が上がらないので、ブザー音によって威嚇監視し、夜間は光照射とブザー音によって防犯効果を上げる事が出来る。
【０００８】
【考案の効果】
ブザーをセンサーライトに内蔵することにより、従来は光のみで侵入者を威嚇していたものを、光と音の両方で威嚇し、防犯効果をあげることが出来る。特に昼間は明るいため、光のみで威嚇しても全く効果はなく、音によって警告する方が効果は大である。すなわち、光と音により昼夜を問わず２４時間侵入者を威嚇監視することができる。
また、センサーライトで使用している一般の交流電源を整流し、そのまま直流用ブザーの電源として使うため、電池の交換等の繁雑な電流管理が不要となる。加えて、形状の小さな直流ブザーを用いるため、ブザー機能を付加してもセンサーライトは大型化せず家屋等の外観を損なわず、またブザーとライトを一体化することで、従来の分離方式より価格が安くなる。
【図面の簡単な説明】
【図１】本考案の配線を模した簡単なブロック図である。
【図２】本考案を説明するセンサーライトの全体図及び各部の名称である。
【符号の説明】
１　交流電源
２　人体検知センサー
３　スイッチ
４　ライト
５　トランス
６　整流子
７　直流用ブザー
８　ライト部
９　取り付けボックス
１０　人体検知センサー部
【図１】
0003098490.tif 000003
【図２】
0003098490.tif 000004
(57)【要約】      （修正有）【課題】自動車や電動付き車いす等が、停車、駐車場に点滅表示する駐車灯を提供する。【解決手段】ＯＮ，ＯＦＦ接点スイッチ６はサイドブレーキ5に接続され、サイドブレーキレバー５が制動セットされるとＯＮの状態となり、制動セット解除されるとＯＦＦとなる。更に、駐車時に制動灯を点滅表示灯、停車灯、ＯＦＦの切り換えスイッチ１５にてフリッカーリレー１２で駐車灯点滅表示が点滅リレー接点１３にてハイマウントブレーキランプ１４とも制動灯９が点滅する。切り換えスイッチをＯＦＦ又は、停車灯側に切り換えた際には、ブレーキペダル２の操作にて、制動灯とハイマウントブレーキランプが同時に点灯、消灯する。【選択図】図２
0003102294.tif 000002
【実用新案登録請求の範囲】
【請求項１】
自動車や電動付きいす等の走行装置において、その電源と、停止又は駐車時に点灯、点滅する表示灯と該表示灯の専用スイッチと、制動用のサイドブレーキレバーを操作した際に応動して作動する表示灯を点灯・点滅する回路を設けていることを特徴とする走行装置の交通事故予防装置。
【請求項２】
該表示灯が発光ダイオード（ＬＥＤ）灯であることを特徴とする、請求項第１項記載の走行装置での交通事故予防装置。
【考案の詳細な説明】
【技術分野】
【０００１】  本考案は、自動車（乗用車、貨物トラック、バス、電動式車いす等）の走行装置において、その走行を停止若しくは駐車時に、制動ブレーキを操作した際における該走行装置での交通安全装置に関するものである。
【背景技術】
【０００２】  自動車、電動式車いす等において、走行状態から制動して、停車若しくは駐車した際に走行制動灯の照明は、制動機構のブレーキペダルを踏み込んだ時にには点灯するが、駐車時には点灯することが無かった。そのために走行装置があることが確認できず、走行車により衝突されることが多々あった。そのため事故防止する技術の開発が切望されていた。
【考案の開示】
【０００３】  本考案では、自動車、電動付き車いす等にて  、駐車時において、駐車灯を専用とする機構をサイドブレーキレバーに、制動した際に連動して作動する表示灯点灯・点滅する回路を設けた。
【考案が解決しようとする課題】
【０００４】  車両灯のうち制動表示灯はブレーキペダルを踏み込み制動中にて停車表示灯として点灯しつづけるが、該ペダルを踏み込みつづける操作にては運転者は疲れる。従って停車灯・駐車灯を作動させる制動表示灯の切り換え用スイッチを停車表示灯側に切り換えておき、更にサイドブレーキを操作して制動させておけば、ブレーキペダルから踏み込みを解除しても制動表示灯は点灯しつづける。その他、駐車する際には駐車表示灯（点滅表示）該制動表示灯の切り換え用スイッチを駐車表示灯側に切り換えておき、サイドブレーキを操作して制動させておけば、駐車表示灯が点滅表示する。
【課題を解決するための手段】
【０００５】  通常での駐車表示灯として表示する手段では、ハザードライト（橙色の点滅表示）にて作動しているが、該表示灯は緊急時の用途（故障、事故等の非常点滅ライト）である。例えば故障などでやむをえず路上駐車するとき、他車に知らせるために使用することが明記（車両の取扱書）されてある。それ故、請求項第１の特に好ましくは駐車時の点滅する回路を用いるものである。
【考案の効果】
【０００６】  上述の様に従来の車両では、サイドブレーキ制動には関連した制動表示灯がない。路上側道に停車若しくは駐車の車両等が無灯火で通行路にある際には通行妨害であるしバイク等の衝突事故が続出している。本考案はこれらの交通事故を簡便な装置で防止し、更には身体障害者、高齢者、子供等の運転又は同乗中の事故発生時には救命、救助、非難等での安全対策予防に役立つものである。
【考案を実施するための最良の形態】
【０００７】  走行開始時において、サイドブレーキのレバーをセット状態から解除すると、該接点スイッチがＯＦＦとなり、通常の制動灯制御回路のみが作動する状態に復帰する。又新規に設けた、駐車灯と停車灯の切り換え器を停車側に切り換えておくと、一時停車時（信号待ち、渋滞時の再々の停車時）はブレーキペダルをその都度、踏み込んで、走行の制動をする際にはサイドブレーキのレバーをセットすれば、制動表示灯の点灯が維持されるので、該ブレーキペダルの踏み込みを解除しても点灯状態となる。その他、都合にて一時駐車する際には、走行制動した後はサイドブレーキのレバーを制動セットして、当該切り換え器を駐車灯側に切り換えて制動灯の点滅表示にて駐車中の表示を行う。従来は駐車時にはハザードライトの作動にて代用したものを、新規性での正規の駐車灯表示により行う。
【実施例】
【０００８】  従来の車両等はサイドブレーキ制動と制動灯表示には関連がない。路上側道にて停車、又は駐車している際に、制動灯や車巾灯（ポジション灯球）を点灯せずに、しかも夕暮れ時や、暗闇での車両の存在に気ずくのが遅れた、側道を走行のバイク等の衝突事故が多発している。交通安全上、制動状態を知らす点灯表示は必要である。そこで仮設にて当該の装置を自家用車に着装した。新規性の付帯装置にて、駐車時使用の点滅表示となるフリッカーリレー、該駐車灯と停車灯専用の切り換え装置用スイッチと付属用品、付加整備費用を累計しての概算では低コストであった。よって、新車、既応車への利用を交通安全対応にて早期な普及を期待する。
【産業上の利用可能性】
【０００９】  本考案は現時点での応用には国内主要自動車メーカーが、当該にての採用が不可であるとの見解があり、規制項目内容、即ち「道路運送車両の保安基準」にて、一般の自動車には点滅灯を備えてはならない、との条項があり、この点で躊躇しているせいが伺われるので、交通安全目的での必要性から、規制緩和の対応を要請中である。現況での交通事故多発への予防にも応用が必要である。交通バリフアリーでの寄与効果も大である。依って国内車、外国車での採用実現にての関連産業への利用可能性も期待できる。
【図面の簡単な説明】
【００１０】
【図１】本考案の制動灯の点灯、消灯表示制御装置における回路構成の一例を示す略図。
【図２】本考案の制動灯の点灯、消灯及び点滅表示灯制御装置における回路構成の一例を示す略図。
【符号の説明】
【００１１】１  バッテリー
２  ブレーキペダル
３  接続ライン
４  イグニションスイッチ
５  サイドブレーキ
６  接点スイッチ
７  接続ライン
８  ヒューズ
９  制動灯（ブレーキランプ）
１０  エンジンスターター
１１  接続ライン
１２  フリッカーリレー
１３  点滅フリッカー接点
１４  ハイマウントブレーキランプ（第３表示灯）
１５  表示灯用切り換えスイッチ
【図１】
0003102294.tif 000003
【図２】
0003102294.tif 000004
(57)【要約】【課題】  ビニール袋に温度差のあるものを同時に入れる時、そのまま入れてしまうので格温度差を保つことができず、これを解消するために新たにもう一枚ビニール袋を使用して分別する手段しかなかった。これを解決するビニール袋を提供する。【解決手段】  ビニール袋の内部側面に同素材のポケット（１）を設ける。ポケットの位置は、底面よりもある程度上に、底に置いたものと直接的な干渉を防げる場所に作る。底面には温かい弁当などを置いた場合、冷たいものはポケットに入れることによって各温度差を保つことができる。【選択図】  図１
0003102293.tif 000002
【実用新案登録請求の範囲】
【請求項１】
ビニール袋内の側面に同じ素材のポケット（１）を有したビニール袋。
【考案の詳細な説明】
【考案の詳細な説明】
【考案の属する技術的な分野】
【０００１】この考案は、温度差のある物を同一のビニール袋に入れても、直接触れることなく温度が各温度が保つことのできるビニール袋に関するものである。
【背景技術】
【０００２】従来は、ビニール袋内に新たな収納手段を擁してはおらず、すべてのものを一緒に入れるようになっている。
【考案が解決しようとする課題】
【０００３】従来の袋では、温かいものと冷たいものの区別ができず、そのまま混在させるか、新たにもう一枚使用して分別しなくてはいけない。本案はこの欠点を解消するためのものである
【課題を解決するための手段】
【０００４】ビニール袋内部の側面に同素材でポケット（１）を設け、そのポケットはビニール袋底面よりある程度上に作り、底面に置いたものと直接的な干渉をしないようにする。そのポケットに暖かい飲み物や冷たい飲み物など底面に置いたものと温度差のあるものを入れて、ビニール袋の底に入れた物との接触を断つことによって欠点を解消することができた。
【考案を実施するための最良の形態】
【０００５】ビニール袋の底面に、暖めた弁当などを入れ、その後、冷たいお茶などの各温度差を保ちたいものを側面に設けたポケットに入れる。ポケットは、ポケット側面（２）に折り目をつけてたたむようにしてポケットの容量を増えるような構造をさせ、缶などが入るぐらいの余裕を持たす。このようにして直接的な干渉を避け、格温度を保つことができる。
【考案の効果】
【０００６】温度差のある物同士が接触しないので各温度を保つことができる。
【図面の簡単な説明】
【図１】本考案の斜視図である。
【図２】本考案の一部を切り裂いた側面図である。
【符号の説明】
１  ポケット  ２  ポケット側面  ３  ビニール袋の手さげ部
４  ビニール袋底面
【図１】
0003102293.tif 000003
【図２】
0003102293.tif 000004
(57)【要約】【目的】立ち仕事だけでなく、骨盤への負荷の掛かる屈み作業や屈曲姿勢でもしっかりガードしながら、ベルトのズレや窮屈感がなく、利用者のニーズに合わせて、柔軟に改造・調整できる整体ベルトの提供を目的とする。【構成】通常４本のゴムベルトが臀部を包むように締め付け、大きな負荷の掛かる屈曲時には、布ベルトが臀部の過剰な横への膨らみを抑制する。細本化したベルトが屈曲時の窮屈感やズレを抑え、常時利用を可能にした。全ての部材を組みネジで結束する「組立式」なので、その結束位置を替えれば利用者の症状や利用状況に応じて改変・取替え・修復もできる。【選択図】  図２
0003102300.tif 000002
【実用新案登録請求の範囲】
【請求項１】
ゴムベルト・臀部パット・ベルト留めバックル（雄雌挿入式）布ベルトといった部材を、組みネジで連結組み立てる仕様の整体ベルト
【請求項２】
臀部に当てるパットに数本のゴムベルトの中央部を平行に取り付け、その先端にベルト留めバックル（雄雌挿入式）を取り付けた形状の整体ベルト
【請求項３】
屈曲時の臀部の横方向への膨らみを抑制する為に整体ベルトに取り付けられる脱着式の布ベルト
【考案の詳細な説明】
【考案の詳細な説明】
【産業上の利用分野】
【０００１】考案のベルトは、臀部をゴムベルト及び布ベルトでサポートし、整体保持を図ろうとする補助器具。
【背景技術】
【０００２】従来のベルトは腰・臀部を「締め付けて固定する」、又は「薄型で軽く包む」形状が多く、いずれも腰臀部への負担のかかる屈曲姿勢時に「十分曲げられない・位置ズレ・締力の弱さ」等の問題があり、状況に合わせてベルトを外したり、緩めたり、別タイプのベルトに取り替え利用するなどの不都合があった。
【考案が解決しようとする課題】
【０００３】  立ち仕事から前屈・座位作業まで幅広く利用でき、サイズ変更や利用者のニーズに合わせた形状の改変・修復が可能な整体ベルトを提供することを目的とする。
【課題を解決するための手段】
【０００４】  上記目的を達成する為に、考案品をパーツ化し、各パーツを組ネジで組立てる「組立式」にした。
また、臀部にあてがうパットと下腹部で結束されるバックル以外は細本化した複数本のベルトで臀部を包む形状にした。
更に、考案の整体ベルトに脱着式の布ベルトを加えた。
【作用】
【０００５】「組立式」なので結束位置を変更する事でサイズの変更から部品の取替え・修復を可能にした。
臀部パットとバックル以外を複数本のベルトで臀部を包む形状にしたことで、前屈・しゃがみ込み姿勢でもベルトは邪魔にならず、作業時のベルトのズレも防げるようにした。
更に、布ベルトを加えたことで負荷の掛かる屈曲時に過剰な臀部の横への膨らみを抑制できるようにした。
【実施例】
【０００６】図１は整体ベルトのパーツで、１は組みネジ（高６ｍｍ）６セット、２は組みネジ（高４ｍｍ）６セット、３はゴ厶ベルト（１２００×２０×１ｍｍ）４本、３−１は取り付けようのネジ穴（ゴムベルトの両端及び中央あたりに複数個配置）、４はバックル雌（５０ｍｍ幅）、５はバックル雄（５０ｍｍ幅）、６は臀部パット（背面１５０×１５０ｍｍ、床用クッションシート）、６−１は取り付け穴（８ヵ所の穴を配置してあるが位置替えしたければ任意変更可能）、７は臀部パット（内側１５０×１５０ｍｍ、滑り止め敷材シート）、８は布ベルト（５０ｍｍ幅・１４００ｍｍ）、８−１は取り付け穴（２ヶ所）、８−２は布ベルトバックル、８−３は面ファスナー（雄）、８−４は面ファスナー（雌）、以上パーツを組みネジで図２の形状に組み立てる。
図２は背面から見たベルト組立完成図で、番号は先の図１と符合している。尚７の臀部パット（内側）は、６の臀部パット（背面）の内側にあって、ゴムベルトを間に挟みこむ形でネジ止めされている。
ベルトは直立の状態で、臀部にベルトのパットをあてがい、大腿骨上端股関節部と腸骨突起部の中間辺りを廻して下腹部でバックルを合わせる。
布ベルトはゴムベルトに沿って同様前下腹部で締める。サイズは組み立て時にゴムベルトの取り付け穴を調整して組み立て、臀部サイズより拳程度短めになるよう調整する。
【考案の効果】
【０００７】立ち作業だけでなく、屈曲姿勢でもベルトが邪魔にならず、４本のゴムベルトの締めと布ベルトの拘束で臀部の横への膨らみを抑えるので、負荷の大きい屈み作業にも利用できる。
ゴムネット状の臀部パットと複数本に分かれたベルトが作業時のズレを抑え、長時間の使用にも違和感がない。
一般入手可能な部材を利用しているので、改造・取替え・修復が可能で、利用者のニーズに合わせ、手を加えながら永く使用できる。
【図面の簡単な説明】
【図１】整体ベルトパーツ
【図２】背面から見たベルト組立完成図
【符号の説明】
１      組みネジ（高６ｍｍ）６セット
２      組みネジ（高４ｍｍ）６セット
３      ゴムベルト（１２００×２０×１ｍｍ）４本
３−１  取り付けようのネジ穴（ゴムベルトの両端及び中央あたりに複数個配置）
４      バックル雌（５０ｍｍ幅）
５      バックル雄（６０ｍｍ幅）
６      臀部パット（背面１５０×１５０ｍｍ、床用クッションシート）
６−１  取り付け穴（８ヵ所の穴を配置）
７      臀部パット（内側１５０×１５０ｍｍ、滑り止め敷材シート）
８      布ベルト（６０ｍｍ幅・１４００ｍｍ）
８−１  取り付け穴（２ヶ所）
８−２  布ベルトバックル
８−３  面ファスナー（雄）
８−４  面ファスナー（雌）
尚７の臀部パット（内側）は、６の臀部パット（背面）の内側にあって、ゴムベルトを間に挟みこむ形でネジ止めされている。
【図１】
0003102300.tif 000003
【図２】
0003102300.tif 000004
【手続補正書】
【提出日】平成15年12月22日(2003.12.22)
【手続補正１】
【補正対象書類名】実用新案登録請求の範囲
【補正対象項目名】全文
【補正方法】変更
【補正の内容】
【実用新案登録請求の範囲】
【請求項１】
ゴムベルト・臀部パット・ベルト留めバックル、布ベルトといった部材を、組みネジで連結組み立てる仕様の整体ベルト
【請求項２】
臀部に当てるパットに数本のゴムベルトの中央部を平行に取り付け、その先端にベルト留めバックルを取り付けた形状の整体ベルト
【請求項３】
バックルを通し折り返し、面ファスナーで固定する形状の布ベルトに、組ネジ脱着用の孔を開け、臀部パットに取り付ける物で、体を屈曲する際の臀部の横方向への膨らみを抑制するベルト
(57)【要約】【目的】養蜂箱の腐食し易い構造を、最上部の蓋を雨水の流れ易い屋根の構造にする事により解決すると同時に積み重ねが容易に出来るようにする。【構成】養蜂箱の最上部の蓋を雨水の流れ易い様に勾配をつけた両流れの屋根をつけた構造にする、そして養蜂箱の最下部の底部に上記屋根の勾配に合致した重ね台を取り付けて、養蜂箱の積み重ねが容易に出来る様にして、多数の養蜂箱の運搬を可能にする。【選択図】        図１
0003102297.tif 000002
【実用新案登録請求の範囲】
【請求項１】
上下２段の養蜂箱（１０、１７）の上にある蓋を雨の流れ易い両流れ形状の屋根（１，２）とし水切れを良くして腐食を防止できる、そして養蜂箱内の排熱と酸素供給の空気流通を促進する様に屋根（１、２）両側面の頂部に通気口（４，５）を設けると同時に内部から蜂が出入り出来ない様に屋根（１、２）頂部の内部にある屋根の棟木（８）と屋根小梁の通気口（２９）のある屋根の小梁（９）の上を覆って金網（２４）を張り、その両端を金網留め桟（２６）にて固着する。
【請求項２】
屋根付き上下２段養蜂箱（１０、１７）を多数移動する場合に、幾段にも積み重ねをする必要があり、その解決には上下２段養蜂箱の下段養蜂箱（１７）下面に蓋の屋根（１、２）の勾配に合致する形状の重ね台（２５、２６）を設置する、そして屋根頂上の防水用棟カバー（３）が収まる様に窪み（２７）を重ね台（２５、２６）の中央に設けて養蜂箱を多段に積み重ねる事を可能にして容易に運搬する事が出来る。
【考案の詳細な説明】
【０００１】
【産業上の利用分野】
本考案は、養蜂に必要な養蜂箱を長期間使用できる様に、風雨に曝されても腐食を防止できる様に、上部の蓋に雨水が速く流れる勾配のある屋根（１、２）を取り付けて、さらに多数の養蜂箱を積み重ねて運搬が出来る様に養蜂箱（１７）の最下面に重ね台（２５、２６）を設置して解決する。
【０００２】
【従来の技術】
従来養蜂家は全国の養蜂適地に養蜂箱を運搬して回る関係で運搬が容易である様に積み重ねが簡単に出来る様に、最上部の覆い部分を水平にして勾配がないので雨水による腐食が速い欠点がある。
【０００３】
【考案が解決しようとする課題】
腐食の速い水平の最上部の蓋に勾配を付けて水はけを良くする事が重要であるが同時に積み重ねが容易に出来る様にする。
【０００４】
【課題を解決するための手段】
養蜂箱の最上部の覆いを水捌けの良い勾配のある屋根（１、２）にする、そして屋根（１、２）両側面の頂部に排熱と空気の流通を目的に通気口（４，５）を設けると同時に、内部から蜂が出入り出来ない様に屋根（１、２）頂部の内部には金網（２４）を張って防止する。
【０００５】
養蜂箱の最下部の底面に屋根（１、２）の勾配に合致した重ね台（２５、２６）を取り付けると同時に、そして屋根頂上の防水用棟カバー（３）が収まる様に重ね台（２５、２６）の中央部に窪み（２７）を設けて養蜂箱を多段に積み重ねる事を可能にして容易に運搬する事が出来る。
【０００６】
【作用】
養蜂箱の最上部分を勾配のある屋根（１、２）にする事により雨水の水捌けを促進して腐食を防止する、同時に積み重ねが容易に出来るように、養蜂箱の最下部には中央部に窪み（２７）のある重ね台（２５、２６）を取り付けて積み重ねを容易にして効率的な運搬を可能にする。
【０００５】
【実施例】
実施例について図面を参照して説明すれば、図１の斜視図にある上下段養蜂箱（１０、１７）の蓋部分を勾配のある屋根（１、２）形状として雨水の流れを容易にする、その屋根（１、２）の頂部に防水用棟カバー（３）を設けて雨水の浸入を防止する、又下段養蜂箱（１７）の底面には中央に窪み（２７）のある重ね台（２５、２６）を取り付けて積み重ねが容易に出来るようにする。
【０００６】
図２の斜視図は屋根（１、２）内側の構造を示した斜視図であり、中央に屋根の棟木（８）その両側に通気口（２９）が複数ある屋根の小梁（９）２本があり、その上を金網で覆って、その両サイドで金網を金網留め桟（２６）で押さえて金網を固定し、蜂が逃げ出すのを阻止する様にする。
【０００７】
【考案の効果】
上記の様に請求項１の上下段養蜂箱（１０、１７）の蓋の部分を傾斜のある屋根（１、２）の形状にすることにより雨水の流れを良くして屋根の腐食を防止する事ができて長期間使用する事が可能となる。
【０００８】
請求項２は下段養蜂箱（１７）の底部に屋根（１、２）形状に合致する重ね台（２５、２６）を前後に２箇所設置して、その中央部には防水用棟カバー（３）を収容できる様な形状にした窪み（２７）を設ける事により、上下段養蜂箱（１０、１７）に屋根（１、２）形状の蓋を付けた状態でも容易に積み重ねが可能となり、多数の養蜂箱を一度に運搬する事が可能となる。
【０００９】
【図面の簡単な説明】
【図１】本考案の斜視図
【図２】屋根部分の内側斜視図
【符号の説明】
１、２  屋根
３  防水用棟カバー
４、５  通気口
６、７  屋根側板
８  屋根の棟木
９  屋根の小梁
１０  上段養蜂箱
１１  木ねじ
１２、１３、１４、１５  補強横桟
１６  下段養蜂箱の側板
１７  下段養蜂箱
１８  下段養蜂箱の底板
１９  下段養蜂箱のスライド補強板
２０  下段養蜂箱補強板のスライド溝
２１  養蜂の出入り口
２２  上下スライド板
２３  上下スライド板の取手
２４、２８  金網
２５  重ね台
２６  金網留め桟
２７  窪み
２９  屋根小梁の通気口
【図１】
0003102297.tif 000003
【図２】
0003102297.tif 000004
【手続補正書】
【提出日】平成15年7月28日(2003.7.28)
【手続補正１】
【補正対象書類名】実用新案登録請求の範囲
【補正対象項目名】全文
【補正方法】変更
【補正の内容】
【実用新案登録請求の範囲】
【請求項１】
上下２段の養蜂箱（１０、１７）の上にある蓋を雨の流れ易い両流れ形状の屋根（１、２）とし水切れを良くして腐食を防止できる、そして養蜂箱内の排熱と酸素供給の空気流通を促進する様に屋根（１、２）両側面の頂部に通気口（４、５）を設けると同時に内部から蜂が出入り出来ない様に屋根（１、２）頂部の内部にある屋根の棟木（８）と屋根小梁の通気口（２９）のある屋根の小梁（９）の上を覆って金網（２４）を張り、その両端を金網留め桟（２６）にて固着する養蜂箱。
【請求項２】
屋根付き上下２段養蜂箱（１０、１７）を多数移動する場合に、幾段にも積み重ねをする必要があり、その解決には上下２段養蜂箱の下段養蜂箱（１７）下面に蓋の屋根（１、２）の勾配に合致する形状の重ね台（２５、２６）を設置する、そして屋根頂上の防水用棟カバー（３）が収まる様に窪み（２７）を重ね台（２５、２６）の中央に設けて養蜂箱を多段に積み重ねる事を可能にして容易に運搬する事が出来る事を特徴とする請求項１記載の養蜂箱。
(57)【要約】      （修正有）【課題】従来の物より安心感があり安定感が得られるノンスリップ手すりを提供する。【解決手段】手すり本体の表面に、突起物2をコーティングまたは圧着する。手すり本体の材質は、材料であったり、プラスチック樹脂であったり、金属であっても良く、形状は、直線状の他、Ｔ字型、Ｌ字型、十字型でも良い。また、突起物は、用途により硬くても弾力のあるものでも良く、大小、取り付けのピッチは様々である。【選択図】図３
0003102299.tif 000002
【実用新案登録請求の範囲】
【請求項１】
室内に置ける階段及び廊下  トイレ  浴室等の手すりについて  本体（木材、金属プラスチック樹脂）に  丸い突起物をコーティング及び圧着をして、要介護及び力の無い老若男女がつかんでも滑らない手すりにする。
また突起物によりマッサージ感も得るようにする。
要介護の人や力の無い人に限らずすべての人に  以前の手すりに無い  手すりを持った時のより一層の安心感も得る事が出来ます。
【請求項２】
材質は取り付け場所により  木材であったりプラスチック樹脂であったり多種多様です。（金属類も含む）
又  形態も場所によりＴ字  Ｌ字  十字状と色々有り  長さも長短  千差万別であります。
そして  突起物は用途により固いものや弾力のある物  また  その大小  取り付けのピッチも長短いろいろ有ります。
【考案の詳細な説明】
【技術分野】
【０００１】  本考案はてすりのより一層の安全性を高めるための突起物をコーティング、圧着することに関するもの。
【背景技術】
【０００２】  平らな物をコーティングしていた。
【考案の開示】
【考案が解決しようとする課題】
【０００３】従来の手すりは障害者及び力の無い老若男女はもとより一般の人にも滑る可能性が有ります。特に浴室は水で良く滑ります。
【考案を解決するための手段】
【０００４】  手すり本体にコーティング  圧着した突起物により手が手すり上を滑らないという安定が得られ歩行も安定する。
【考案の効果】
【０００５】  突起物をつける事により  以前の平らな手すり等より確実に手にフィットするし  力の無い老若男女でも少量の力で安心感が得られます。
【考案を実施するための最良の形態】
【０００６】  力の無い老若男女の入浴、トイレ、等の使用時の安全性の為の手すりに成る。
【図面の簡単な説明】
【０００７】
【図１】「一般的な直線の手すりの平面図である」
【図２】「一般的な直線の手すりの断面図である」
【図３】「Ｔ字手すりの平面図である」
【図４】「Ｔ字手すりの断面図である」
【図１】
0003102299.tif 000003
【図２】
0003102299.tif 000004
【図３】
0003102299.tif 000005
【図４】
0003102299.tif 000006
【手続補正書】
【提出日】平成15年10月8日(2003.10.8)
【手続補正１】
【補正対象書類名】実用新案登録請求の範囲
【補正対象項目名】全文
【補正方法】変更
【補正の内容】
【実用新案登録請求の範囲】
【請求項１】
従来ある手すり本体１の表面に複数の丸い突起物２，２，２，・・・、をコーティングまたは圧着をして成るノンスリップ手すり。
【手続補正２】
【補正対象書類名】明細書
【補正対象項目名】０００４
【補正方法】変更
【補正の内容】
【書類名】      明細書
【０００４】
手すり本体１に複数の突起物２、２、２、・・・、をコーティング、圧着し手が手すり上を滑らず歩行が安定して安心感、マッサージ効果が得られるようにする。
このとき複数の突起物２、２、２、・・、の大小突起物２と突起物２‘のピッチ複数の突起物２、２、２、・・の材質は多種多様です。
【手続補正３】
【補正対象書類名】図面
【補正対象項目名】図１
【補正方法】変更
【補正の内容】
【図１】
0003102299.tif 000007
【手続補正書】
【提出日】平成16年1月22日(2004.1.22)
【手続補正１】
【補正対象書類名】実用新案登録請求の範囲
【補正対象項目名】全文
【補正方法】変更
【補正の内容】
【実用新案登録請求の範囲】
【請求項１】
手すり本体（１）の表面に、複数の丸い突起物（２）をコーティングまたは圧着したノンスリップ手すり。
【手続補正２】
【補正対象書類名】明細書
【補正対象項目名】全文
【補正方法】変更
【補正の内容】
【考案の詳細な説明】
【技術分野】
【０００１】
本考案は、突起物をコーティングまたは圧着した手すりに関する。
【背景技術】
【０００２】
従来の手すりは、表面に平らな物をコーティングしていた。
【考案の開示】
【考案が解決しようとする課題】
【０００３】
しかしながら、従来の手すりは、障害者、要介護の人、及び、力のない老若男女はもとより、一般の人が手すりを握る際に滑る危険性があり、安全性の上で問題がある。また特に、浴室等の、水を扱う場所においては、滑る危険性が高い。
【課題を解決するための手段】
【０００４】
手すり本体の表面に、突起物２をコーティングまたは圧着する。これにより、手すりを握る際、手が手すり上を滑りにくく、安定感が得られ、歩行も安定する。
手すり本体の材質は、木材であったり、プラスチック樹脂であったり、金属であっても良く、形状は、直線状の他、Ｔ字型、Ｌ字型、十字型でも良い。また、突起物は、用途により硬くても弾力のあるものでも良く、大小、取り付けのピッチは様々である。
【考案の効果】
【０００５】
本考案は、手すり本体の表面に突起物を設けることで、従来の平らな手すりよりも滑りにくく、確実に手にフィットし、力のない老若男女でも小さい力で安定感及び安心感が得られるという効果を有する。また、突起物により、マッサージ感が得られるという効果を有する。
【考案を実施するための最良の形態】
【０００６】
《実施の形態１》
図１は本考案による実施の形態１の直線の手すりの平面図、図２はその断面図である。
本考案による手すりにおいては、手すり本体にコーティングまたは圧着した突起物２を設けている。
【０００７】
《実施の形態２》
図３は本考案による実施の形態２の手すりの平面図、図４はその断面図である。
本考案による手すりにおいては、手すり本体にコーティングまたは圧着した突起物２を設けている。
【図面の簡単な説明】
【０００８】
【図１】本考案の実施の形態１における、直線の手すりの平面図
【図２】本考案の実施の形態１における、直線の手すりの断面図
【図３】本考案の実施の形態２における、別の手すりの平面図
【図４】本考案の実施の形態２における、別の手すりの断面図
【手続補正３】
【補正対象書類名】図面
【補正対象項目名】全図
【補正方法】変更
【補正の内容】
【図１】
0003102299.tif 000008
【図２】
0003102299.tif 000009
【図３】
0003102299.tif 000010
【図４】
0003102299.tif 000011
(57)【要約】      （修正有）【課題】１つの鍋で煮物を行っても、材料全体が混合することなく、異なった濃度の味付けに仕上がるようにできる多用鍋を提供する。【解決手段】鍋本体１に間仕切り２を取り付けることにより、１つの鍋を４箇所に独立させた。【選択図】図２
0003102256.tif 000002
【実用新案登録請求の範囲】
【請求項１】
鍋に間仕切りをすることにより、異なった種々の味付けの煮物ができるようにした鍋。
【考案の詳細な説明】
【考案の詳細な説明】
［考案が解決しようとする課題］
【０００１】１つの鍋で煮るという作業は、一度に行うことはできるが、同時に材料全体が同じ味付けになるという欠点があった。
［課題を解決するための手段］
【０００２】１つの鍋で一度に煮ても、材料ごとに異なった味付けができるよう、鍋本体１に間仕切り２を付けることによって、４箇所に独立させた。
［考案の効果］
【０００３】１つの鍋の中を、４箇所に独立させているため、同時に４通りの味を付けることができる。
【図面の簡単な説明】
【図１】鍋本体に間仕切りを付けた平面図である。
【図２】考案した鍋の立面図である。
【符号の説明】
１  鍋本体
２  間仕切り
【図１】
0003102256.tif 000003
【図２】
0003102256.tif 000004
(57)【要約】［課題］  置き鏡の使用する場所を特定することなく、場所に応じて鏡の高さを調整できるようにする。［解決手段］置き鏡本体１の柄の一部にネジ２を取り付けることにより、柄を伸縮させて、鏡の高さを調整できるようにした。【選択図】  図２
0003102258.tif 000002
【実用新案登録請求の範囲】
【請求項１】
置き鏡本体の柄の一部にネジを取り付けることにより、高さを調整できるようにした置き鏡。
【考案の詳細な説明】
【考案の詳細な説明】
［考案が解決しようとする課題］
【０００１】置き鏡の高さが一定であると、使用する場所により、鏡の高さに不自由を生ずるという難点があった。
［課題を解決するための手段］
【０００２】置き鏡を使用する際に、鏡の高さに不自由を生じないよう、置き鏡本体１の柄の一部にネジ２を取り付けることによって、柄が伸縮できるようにした。
［考案の効果］
【０００３】置き鏡を使用する際に、ネジで伸縮できるようにしているため、必要に応じて鏡の高さを調整することができる。
【図面の簡単な説明】
【図１】置き鏡本体とネジ部分を示した背面図である。
【図２】考案した置き鏡の使用状況を示す正面図である。
【符号の説明】
１  置き鏡本体
２  ネジ
３  柄
【図１】
0003102258.tif 000003
【図２】
0003102258.tif 000004
(57)【要約】      （修正有）【課題】液体注出口の液の乾燥を良好に防止できるとともに、どんなタイプの注出容器にも適合でき、着脱が容易に行える液体注出容器用注出キャップを提供する。【解決手段】ノズル付き押し下げヘッド式の液体注出容器に装着するキャップであって、外枠１と、該外枠１内に固定した吸収性と柔軟性を有する材質よりなる内枠２とから構成し、容器に装着した際に、内枠２の吸収性と柔軟性に富む周壁によりノズル先端開口圧接して閉塞し、また、内枠上部３が注出口を密封するよう構成した。【選択図】図２
0003102260.tif 000002
【実用新案登録請求の範囲】
【請求項１】
容器体１１上端中央よりノズル７付き押し下げヘッド１２を上下動可能に突出させた液体注出口に装着するキャップであって、下端面開放の筒状をなす外枠１と、該外枠１内に固定した吸収性、柔軟性を有する材質により形成した内枠２とからなり、外枠１内部奥にはノズル７の注出口からの液漏れ防止３と、落下防止ストラップ装着フック４を外枠１の先端上部に設けるとともに、より強固に固定するためのフック５，６とから構成してなることを特徴とする液体注出口用キャップ。
【考案の詳細な説明】
【技術分野】
【０００１】  本考案は、液体注出容器用注出口キャップに関し、詳しくは、ノズル付き押し下げヘッドを有する液体注出容器用注出口に装着するためのキャップに関する。
【背景技術】
【０００２】  液体注出容器用のキャップとして、下端開放の筒状をなし、その下端内周部を容器上部外周に嵌合させる等して押し下げヘッドを被覆し、着脱自在に装着したものが知られている。【０００３】  これ等はノズル付き押し下げヘッドを被覆して容器体に装着しているため、キャップ内に空気が存在するため、乾燥防止の点ではいまだ不十分で、市販の押し下げヘッド式液体注出容器の多種、多形に合わせる事は困難である。
【考案の開示】
【考案が解決しようとする課題】
【０００４】  本考案は上記した点に鑑みなされたもので、ノズル内の液の乾燥を良好に防止出来るとともに、どんなタイプの液体注出容器に適合でき、着脱が容易に行える優れたキャップを提案するものである。
【課題を解決しようとする手段】
【０００５】  本考案キャップは上記課題を解決するため容器体１１上端中央よりノズル付き押し下げヘッド１２を上下動可能に突出させた液体注出容器用注出口に装着するキャップであって、下端面開放の筒状をなす外枠１と、該外枠１．内に固定した吸収性と柔軟性を有する材質により形成した内枠２とからなり、上記内枠２は、下端を薄肉にして上端に向け厚肉に傾斜をつけ外枠１内上端部に突起物３と外枠１下端外に、５，６のフック状を設けたものから構成した。
【考案の効果】
【０００６】  以上、説明した如く本考案キャップは既述構成としたことにより、装着した容器のノズル先端開口を確実に閉塞することが出来、スポンジ筒の存在とあいまってノズル内の液体の良好な乾燥防止と液だれ防止を図れるものである。
【０００７】  また、キャップに動物、植物、乗り物、食べ物や人気キャラクターの絵柄を施すことにより装飾品としても用いられる。
【０００８】  また、本考案キャップを装着せずノズル内の液体が固まってしまった時に突起物３でノズル内の固まった液体を取り除く事が出来る。
【考案を実施するための最良の形態】
【実施例】
【０００９】  以下、本考案の実施例を図面で参照して説明する。【００１０】  図２の状態ではノズル７先端注出口は２の吸収性と弾力性を有する周壁２に圧接されその注出口を閉塞されており、また、３が注口内部を遮断しているため、ノズル７内の液の良好な乾燥防止を図ることが出来、ひいては容器内の良好な乾燥防止を図ることができる。【００１１】  この状態からキャップ１４を外す場合は引き抜けば良く、また、装着する場合には嵌め込めば的確にノズル注出口が閉塞される。【００１２】  外枠１上部４は、落下防止用ストラップを装着することができる。【００１３】  外枠１下端５、６は液体注出容器注出口キャップをより脱落しない用に伸縮性のある物を掛けることが出来る。【００１４】  図１．及び図２は本考案の一実施例を示すもので、図中２は液体注出容器１３に装着させたキャップを示す。【００１５】  液体注出容器１３は、容器体１１上端中央よりノズル７付き押し下げヘッド１２を上下動可能に突出させ、この押し下げヘッド１２の上下動により容器体１１内の液が内部収納の公知のポンプ機構により吸上げられ、ノズル７より注出される如く構成されたものである。本考案キャップは、この様なタイプの容器に全て適用されるものである。【００１６】  本考案キャップ１４は外枠１と、内枠２とから構成している。【００１７】  外枠１．は合成樹脂等により形成されたもので、下端面開放の円筒状をなし、内枠上端部中央位置に突起状３を設けている。【００１８】  内枠２はスポンジ等の吸収性と柔軟性を有する材質より形成されたもので、外枠内周面に上端部を厚肉に下端部を薄肉に傾斜を設け固定した円筒状の周壁とから構成している。【００１９】  また、内枠２の突状３は、キャップ１４を容器１３に装着した際に、そのノズル７先端開口を閉塞する位置に設けられている。【００２０】  また、外枠１の下端部の５，６は、フック状でゴムのような伸縮性の輪状のものをポンプ上部に掛けより脱落を防止出来る。
【図面の簡単な説明】
【００２１】
【図１】本考案キャップの側面断面図である。
【図２】同実施例を示す左方向から見た平面図である。
【図３】左斜めから見た全体図である。
【図４】同実施例を示す全体図である。
【符号の説明】
【００２２】１…外枠
２…内枠
３…密封のための突起物
４…フック
５，６…フック
７…ノズル
８…すべり止め
９…ゴム輪
１０…ストラップ
１１…容器体
１２…押し下げヘッド
１３…容器
１４…キャップ
【図１】
0003102260.tif 000003
【図２】
0003102260.tif 000004
【図３】
0003102260.tif 000005
【図４】
0003102260.tif 000006
(57)【要約】［課題］エプロンを着用しても腕の動きがさまたげられることなく、作業中に衣服の汚れを防ぐことができるようにする。［解決手段］エプロン本体１と袖部分２に分けることによって、エプロンを着用しても腕は露出するようにした。【選択図】図２
0003102257.tif 000002
【実用新案登録請求の範囲】
【請求項１】
エプロンの前掛け部分と袖部分を分けて、セットで着用することにより、腕を動かしやすくしたエプロン。
【考案の詳細な説明】
【考案の詳細な説明】
［考案が解決しようとする課題］
【０００１】炊事の時にエプロンを着用すると、汚れを防ぐことはできるが、前掛けだけを着用する場合と比べてみて、腕の動きがさまたげられるという問題点があった。
［課題を解決するための手段］
【０００２】エプロンを着用しても腕の動きがさまたげられないよう、エプロン本体１と袖部分２に分けることにより、腕が露出するようにした。
［考案の効果］
【０００３】エプロンを着用しても腕は露出しているため、作業中に動きやすく、袖部分を着用することで汚れを防ぐことができる。
【図面の簡単な説明】
【図１】エプロン本体と袖部分を示した平面図である。
【図２】考案したエプロンの着用状況を示した立面図である。
【符号の説明】
１  エプロン本体
２  袖部分
３  腕
【図１】
0003102257.tif 000003
【図２】
0003102257.tif 000004